【手続補正書】
【提出日】平成15年8月29日(2003.8.29)
【手続補正１】
【補正対象書類名】明細書
【補正対象項目名】特許請求の範囲
【補正方法】変更
【補正の内容】
【特許請求の範囲】
【請求項１】
各局が少なくとも物理層及び調和サブレイヤ並びにその間に媒体独立インタフェース（ＭＩＩ）、及び媒体アクセス制御層を含むように画定可能であり、局間の信号の送信のために第２の局に媒体によって結合された少なくとも第１の局を含む全二重イーサネット・ネットワークに使用するフロー制御方法であって、
（ａ）前記第２の局の資源が混雑のしきい値レベルに達するときに、前記第１の局まで前記媒体にわたり第１のフロー制御（ＸＯＦＦ）信号を前記第２の局に周期的に送信させ、さもなければ前記第１の局まで前記媒体にわたり第２のフロー制御（ＸＯＮ）信号を前記第２の局に周期的に送信させる段階であり、前記ＸＯＦＦ及び前記ＸＯＮ信号は、前記媒体にわたり送信可能なデータ信号から識別可能である、該段階；
（ｂ）前記ＸＯＦＦフロー制御の受信により、前記ＣＲＳフロー制御信号のディアサーションを指令している制御信号の前記第１の局による受信まで、前記第１の局にキャリヤ検知（ＣＲＳ）信号を継続的にアサートさせる段階を具備し、
前記ＣＲＳのアサーションは、前記第２の局からの前記ＸＯＮ信号の前記第１の局による受信を越えない期間で継続し；
前記ＣＲＳフロー制御信号のアサーションの間、前記第１の局は、フロー制御されることを特徴とするフロー制御方法。
【請求項２】
前記段階（ｂ）で、前記第１の局の前記物理層は、前記フロー制御信号を受け取り、復号し、かつ認識し、そして前記ＸＯＦＦフロー制御信号の認識は、続いて送信された前記ＸＯＮ制御信号の前記第２の局による送信を越えない時間間隔の間まで前記第１の局の前記媒体アクセス制御層に更なる送信を遅延させるべく前記ＣＲＳ信号をアサートする前記第１の局の前記物理層を結果として生じることを特徴とする請求項１に記載の方法。
【請求項３】
前記段階（ｂ）で、前記フロー制御信号の受信、復号及び認識により、前記第１の局の前記物理層は、前記第１の局の前記媒体アクセス制御層に、前記ＸＯＮ制御信号または前記タイム・アウト信号の受信のより早い発生まで遅延させるべく前記ＣＲＳ信号をアサートすることを特徴とする請求項１に記載のフロー制御方法。
【請求項４】
前記ＭＩＩインターフェイスは、送信データ（ＴＸＤ＜３：０＞）、送信クロック（ＴＸ＿ＣＬＫ）、送信イネーブル（ＴＸ＿ＥＮ）、及び送信エラー（ＴＸ＿ＥＲ）を含んでいるデータ送信経路を供給し、かつ受信データ（ＲＸＤ＜３：０＞）、受信クロック（ＲＸ＿ＣＬＫ）、受信データ有効（ＲＸ＿ＤＶ）、及び受信エラー（ＲＸ＿ＥＲ）を含んでいる受信経路を供給し、かつキャリヤ検知（ＣＲＳ）及び衝突（ＣＯＬ）を含んでいる非同期媒体状態信号を供給し、管理データ・クロック（ＭＤＣ）及び管理データ入力/出力（ＭＤＩＯ）を含んでいる制御及び状態収集に対する管理インターフェイスを更に供給し；
前記ＴＸ＿ＣＬＫは、継続的にアクティブであり、前記ＲＸ＿ＣＬＫは、前記第１の局からのデータの前記第２の局による受信の間、及びパケット間間隔（ＩＰＧ）の間、継続的にアクティブであり；かつ
前記局によるデータの送信及び受信は、プロトコル・データ・ユニット（ＰＤＵ）内で割込まれないことを特徴とする請求項１に記載の方法。
【請求項５】
前記段階（ａ）で、前記局は、プリミティブＲＳ＿ＦｌｏｗＣｏｎｔｒｏｌ．ｒｅｑｕｅｓｔ（ｒｅｑｕｅｓｔ＿ｔｙｐｅ）を用いて前記ＸＯＮまたはＸＯＦＦ信号の送信を起動し、ｒｅｑｕｅｓｔ＿ｔｙｐｅ：ＳＴＡＲＴ，ＳＴＯＰであることを特徴とする請求項１に記載の方法。
【請求項６】
前記段階（ｂ）で、前記局は、プリミティブＲＳ＿ＦｌｏｗＣｏｎｔｒｏｌ．ｉｎｄｉｃａｔｅ（ｉｎｄｉｃａｔｅ＿ｔｙｐｅ）を用いて前記ＸＯＮまたはＸＯＦＦ信号を受信し、ｉｎｄｉｃａｔｅ＿ｔｙｐｅ：ＳＴＡＲＴ，ＳＴＯＰであることを特徴とする請求項１に記載の方法。
【請求項７】
前記段階（ｂ）で、前記局は、プリミティブＲＳ＿ＦｌｏｗＣｏｎｔｒｏｌ＿Ｒｅｌｅａｓｅ．ｒｅｑｕｅｓｔ（）を用いて送信された前記ＸＯＮ信号の非受信から回復することを特徴とする請求項１に記載の方法。
【請求項８】
前記段階（ａ）で、前記ＸＯＦＦフロー制御信号は、停止フロー制御要求サービス・プリミティブ（ＲＳ＿ＦｌｏｗＣｏｎｔｒｏｌ．ｒｅｑｕｅｓｔ（ＳＴＯＰ））に応じて前記第２の局の前記調和層によって生成され、かつ送信データ信号（＜ＴＸＤ＜３：０＞＝＜ｐａｔｔｅｒｎ１＞、ディアサート送信イネーブル信号（ＴＸ＿ＥＮ）、及びアサート送信エラー信号（ＴＸ＿ＥＲ））として一つの受信クロック（ＲＸ＿ＣＬＫ）周期で前記第２の局の前記ＭＩＩインターフェイス上で搬送され、前記＜ｐａｔｔｅｒｎ１＞は、前記ＸＯＦＦフロー制御信号を表しているビット・パターンであることを特徴とする請求項１に記載の方法。
【請求項９】
前記段階（ａ）で、前記ＸＯＮフロー制御信号は、開始フロー制御要求サービス・プリミティブ（ＲＳ＿ＦｌｏｗＣｏｎｔｒｏｌ．ｒｅｑｕｅｓｔ（ＳＴＡＲＴ））に応じて前記第２の局の前記調和層によって生成され、かつ送信データ信号（＜ＴＸＤ＜３：０＞＝＜ｐａｔｔｅｒｎ２＞、ディアサート送信イネーブル信号（ＴＸ＿ＥＮ）、及びアサート送信エラー信号（ＴＸ＿ＥＲ））として一つの送信クロック（ＴＸ＿ＣＬＫ）周期で前記第２の局の前記ＭＩＩインターフェイス上で搬送され、前記＜ｐａｔｔｅｒｎ２＞は、前記ＸＯＮフロー制御信号を表しているビット・パターンであることを特徴とする請求項１に記載の方法。
【請求項１０】
前記第１の局の前記物理層は、前記第２の局からの前記ＸＯＦＦ信号の受信により、受信データ信号（ＲＸＤ＜３：０＞＝＜ｐａｔｔｅｒｎ１＞、ディアサート受信データ有効信号（ＲＸ＿ＤＶ）、及びアサート受信エラー信号（ＲＸ＿ＥＲ））として前記ＭＩＩインターフェイス上で搬送される前記第１の局の調和層にＸＯＦＦ信号を発行し、前記＜ｐａｔｔｅｒｎ１＞は、前記ＸＯＦＦフロー制御信号を表しているビット・パターンであることを特徴とする請求項１に記載の方法。
【請求項１１】
前記第１の局の前記物理層は、前記第２の局からの前記ＸＯＮ信号の受信により、受電データ信号（ＲＸＤ＜３：０＞＝＜ｐａｔｔｅｒｎ２＞、ディアサート受信データ有効信号（ＲＸ＿ＤＶ）、及びアサート受信エラー信号（ＲＸ＿ＥＲ））として前記ＭＩＩインターフェイス上で搬送される前記第１の局の調和層にＸＯＮメッセージを発行し、前記ｐａｔｔｅｒｎ２は、前記ＸＯＮフロー制御信号を表しているビット・パターンであることを特徴とする請求項１に記載の方法。
【請求項１２】
前記第１の局の前記調和層は、ＲＳ＿ＦｌｏｗＣｏｎｔｒｏｌ＿Ｒｅｌｅａｓｅ．ｒｅｑｕｅｓｔ（）プリミティブに応じてＲＥＬＥＡＳＥメッセージを発行し、前記ＲＥＬＥＡＳＥメッセージは、送信データ信号（＜ＴＸＤ＜３：０＞＝＜ｐａｔｔｅｒｎ３＞、ディアサート送信イネーブル信号（ＴＸ＿ＥＮ）、及びアサート送信エラー信号（ＴＸ＿ＥＲ））として前記ＭＩＩインターフェイス上で搬送され、前記ｐａｔｔｅｒｎ３は、前記ＲＥＬＥＡＳＥ信号を表しているビット・パターンであることを特徴とする請求項１に記載の方法。
【請求項１３】
前記ＸＯＮ制御信号及び前記ＸＯＦＦフロー制御信号の少なくとも適切な一つは、少なくとも一つのパケット間ギャップ（ＩＰＧ）の間に送信されることを特徴とする請求項１に記載の方法。
【請求項１４】
前記ＸＯＮ制御信号及び前記ＸＯＦＦフロー制御信号の少なくとも適切な一つは、前記媒体にわたり送信されたデータのフレームに関連付けられたプリアンブルの最初の半分の間に送信されることを特徴とする請求項１に記載の方法。
【請求項１５】
前記ＸＯＮ制御信号及び前記ＸＯＦＦフロー制御信号の少なくとも適切な一つは、各パケット間ギャップ（ＩＰＧ）の間に送信されることを特徴とする請求項１に記載の方法。
【請求項１６】
前記フロー制御は、無損失であることを特徴とする請求項１に記載の方法。
【請求項１７】
少なくとも前記第１の局は、前記第２の局からの前記ＸＯＦＦ制御信号の該第１の局による受信により、前記ＸＯＮ信号が前記第２の局から前記第１の局によって受信されなかったとしてもその後に前記第１の局が前記ＣＲＳ信号をディアサートするタイム・アウト間隔を生成する、タイマを更に含むことを特徴とする請求項１に記載の方法。
【請求項１８】
前記ネットワークは、ＩＥＥＥ８０２．３-規格に準拠しており、前記第１の局及び前記第２の局は、同一であることを特徴とする請求項１に記載の方法。
【請求項１９】
前記局は、前記局の前記物理層からのキャリヤ検知信号（ＣＲＳ）に応答する遅延機構を含んでいる送信機処理を有している前記媒体アクセス層を含み、かつ前記媒体アクセス層は、前記局の前記物理層からの受信データ有効（ＲＸ＿ＤＶ）に応答するビット受信機機構フレーミング・データを含んでいる受信機処理を更に有することを特徴とする請求項１に記載の方法。
【請求項２０】
第１の媒体アクセス制御層と第１の物理層とを有している第１の通信装置、及び第２の通信装置を含むネットワークにおけるフロー制御方法であり、前記第１及び第２の通信装置は、通信媒体によって接続される、該フロー制御方法であって、
（ａ）前記第１の媒体アクセス層から前記第１の物理層でデータを受信しかつ当該受信したデータを前記通信媒体で前記第２の通信装置に送信する段階；
（ｂ）前記第２の通信装置が第１のフロー制御信号を前記第１の物理層に送信するまで前記第１の媒体アクセス制御層から前記第２の通信装置に前記第１の物理層で受信したデータを連続的に送信する段階；及び
（ｃ）前記第１のフロー制御信号に応じて前記第１の物理層で遅延信号を生成しかつ前記遅延信号を前記第１の媒体アクセス制御層に供給する段階
を具備し、
前記第１の媒体アクセス制御層は、前記遅延信号に応じて前記第２の通信装置への送信のためのデータを前記第１の物理層に供給することを中止し、それにより前記第１の通信装置と前記第２の通信装置との間のデータの送信を中止することを特徴とするフロー制御方法。
【請求項２１】
前記第２の通信装置は、前記第１の通信装置と前記第２の通信装置との間のデータの送信を再開始するために前記第１の物理層に第２のフロー制御信号を送信することを特徴とする請求項２０に記載の方法。
【請求項２２】
前記第１の物理層は、前記第２のフロー制御信号の受信に応じて再開始送信信号を生成し、前記第１の媒体アクセス制御層は、前記通信媒体での前記第２の通信装置への送信のためにデータを前記第１の物理層に供給することを再開始するために前記再開始送信信号に応答することを特徴とする請求項２１に記載の方法。
【請求項２３】
前記遅延信号は、キャリア検知信号を備えていることを特徴とする請求項２０に記載の方法。
【請求項２４】
前記ネットワークは、イーサネット・ネットワークを備えていることを特徴とする請求項２０に記載の方法。
【請求項２５】
前記第２の通信装置は、第２の媒体アクセス制御層及び第２の物理層を含むことを特徴とする請求項２４に記載の方法。
【請求項２６】
前記第１の通信装置は、前記物理層と前記媒体アクセス制御層との間にインタフェースを更に含むことを特徴とする請求項２４に記載の方法。
【請求項２７】
前記インタフェースは、媒体独立インタフェースを備えていることを特徴とする請求項２６に記載の方法。
【請求項２８】
前記通信媒体は、ケーブルを備えていることを特徴とする請求項２０に記載の方法。
【請求項２９】
通信媒体を通して相互接続している第１の通信装置及び第２の通信装置を含む全二重ネットワークでフロー制御を実行するシステムであって、
前記通信媒体への前記第１の通信装置の全二重接続を供給するための前記第１の通信装置における第１の物理層；
前記第２の通信装置への送信のために前記第１の物理層へのデータのフローを供給するための前記第１の通信装置における第１の媒体アクセス制御層であり、前記第１の媒体アクセス制御層は、半二重モードで動作可能である、該第１の媒体アクセス制御層；及び
前記第１の通信装置と前記第２の通信装置との間のデータの送信を制御するためのフロー制御機構
を備え、
前記第１の物理層は、前記第１の媒体アクセス制御層の動作の前記半二重モードを利用して前記第１の媒体アクセス制御層と前記第１の物理層との間のデータのフローを制御するために前記フロー制御機構に応答することを特徴とするシステム。
【請求項３０】
前記フロー制御機構は、第１のフロー制御メッセージ及び第２のフロー制御メッセージの少なくとも一つを備え、前記第１の物理層は、前記第２の通信装置からの第１のフロー制御メッセージに応じて前記第１の媒体アクセス制御層から前記第１の物理層へのデータのフローを防ぐことを特徴とする請求項２９に記載のシステム。
【請求項３１】
前記第１の物理層は、前記第１のフロー制御メッセージに応じて前記第１の媒体アクセス制御層に遅延信号を供給することによってデータのフローを防ぐことを特徴とする請求項３０に記載のシステム。
【請求項３２】
前記遅延信号は、キャリア検知信号を備えていることを特徴とする請求項３１に記載のシステム。
【請求項３３】
前記第１の物理層は、前記第１の媒体アクセス制御層に、前記第２の通信装置からの第２のフロー制御メッセージに応じて前記第１の物理層にデータのフローを供給することを継続させることを特徴とする請求項３０に記載のシステム。
【請求項３４】
前記通信媒体は、ケーブルを備えていることを特徴とする請求項２９に記載のシステム。
【請求項３５】
前記第２の通信装置は、第２の物理層及び第２の媒体アクセス制御層を含み、前記第２の媒体アクセス制御層は、前記第１の通信装置への送信のために前記第２の物理層へのデータの第２のフローを供給するために半二重モードで動作可能であることを特徴とする請求項２９に記載のシステム。
【請求項３６】
前記フロー制御機構は、送信オフ・メッセージ及び送信オン・メッセージの少なくとも一つを備え、前記第２の物理層は、送信オフ・メッセージに応じて前記第２の媒体アクセス制御層の動作の半二重モードを利用して前記第２の媒体アクセス制御層から前記第２の物理層へのデータのフローを遅らせることを特徴とする請求項３５に記載のシステム。
【請求項３７】
全二重イーサネット・ネットワークで全二重フロー制御を供給する方法であって、
発信局でフロー制御信号を受信する段階；
前記フロー制御信号を受信することに応答して、満了時間を有しているタイマーを始動する段階であり、前記タイマーは、前記発信局の媒体アクセス制御層で実施される、該段階；及び
少なくとも満了時間まで前記発信局からの送信を遅らせる段階
を具備し、
前記タイマーは、衝突後に適用されるバック・オフ・タイマー以外のタイマーであることを特徴とする方法。
【請求項３８】
前記フロー制御信号は、ＩＥＥＥ８０２．３休止指令に準拠することを特徴とする請求項３７に記載の方法。
【請求項３９】
ＩＥＥＥ８０２．３規格で動作可能なやり方で全二重フロー制御を供給する方法であって：
送信局で、宛先局から第１のフロー制御信号を受信する段階であり、該第１のフロー制御信号は、ＩＥＥＥ８０２．３規格に準拠する、該段階；及び
前記第１のフロー制御信号を受信することに応答して、前記送信局の媒体アクセス制御層によって管理されるタイマーによって測定された所定の期間に対して送信を遅延する段階
を具備することを特徴とする方法。
【請求項４０】
ＩＥＥＥ８０２．３規格に準拠する第２のフロー制御信号を受信することに応答して、送信を再開始する段階を更に具備することを特徴とする請求項３９に記載の方法。
【請求項４１】
ＩＥＥＥ８０２．３規格で動作可能なやり方で全二重フロー制御を供給する方法であって：
送信局で、送信局の媒体アクセス制御層によって維持されるタイマーによって測定された期間中、送信を据え置く段階；
宛先局からフロー制御信号を受信する段階であり、該フロー制御信号は、ＩＥＥＥ８０２．３規格に準拠する、該段階；及び
前記フロー制御信号を受信することに応答して、前記送信局からの送信を再開始する段階
を具備することを特徴とする方法。
【請求項４２】
発信局と宛先局との間の信号の送信のために宛先局に媒体によって結合された発信局を少なくとも含む全二重イーサネット・ネットワークで使用するフロー制御方法であって、
データを交換する目的で前記発信局と前記宛先局との間の通信接続を確立する段階；
前記宛先局からの前記発信局での送信オフ・メッセージの受信により、前記発信局からのデータの送信を一時停止する段階；及び
前記発信局の媒体アクセス制御（ＭＡＣ）層に維持されるタイマーの期限切れにより前記発信局からのデータの送信を再開始する段階
を具備することを特徴とする方法。
【請求項４３】
発信局と宛先局との間の信号の送信のために宛先局に媒体によって結合された発信局を少なくとも含む全二重イーサネット・ネットワークで使用するフロー制御方法であって、
発信局で宛先局から一時停止指令を受信する段階；及び
前記発信局の媒体アクセス制御層によって測定された所与の時間の期限切れ；及び
前記宛先局からの再開始指令の受信
の一つまで前記発信局から前記宛先局までのデータの送信を停止する段階
を具備することを特徴とする方法。
【請求項４４】
前記期限時間の前に第２のフロー制御信号を受信することに応じて、送信を再開始する段階を更に具備することを特徴とする請求項３７に方法。
【請求項４５】
第１の通信局と第２の通信局との間でフロー制御を実行する方法であって、
第１の局と第２の局との間で通信接続を確立する段階；
前記第２の局からの前記第１の局での第１のフロー制御信号を受信する段階；
前記第１のフロー制御信号に応じて、前記第１の局から前記第２の局までの送信を据置くために前記第１の局における媒体アクセス制御（ＭＡＣ）層に向けてキャリア検知（ＣＲＳ）信号をアサートする段階；及び
前記第２の局からの第２のフロー制御信号；及び
前記第１のフロー制御信号に応じて起動されたタイマーの期間満了
の一つに応じて前記ＣＲＳ信号をディ・アサートする段階
を具備することを特徴とする方法。
【請求項４６】
通信ネットワークの局間にフロー制御を適用する方法であって、
データを交換するために通信ネットワークの第１の局と第２の局との間に通信接続を確立する段階；
前記第１の局から前記第２の局まで一つ以上の通信ユニットを送信する段階；
前記第２の局から第１のフロー制御信号を前記第１の局で受信する段階；
遅延タイマーを、前記第１の称の媒体アクセス制御（ＭＡＣ）層において、起動する段階；及び
前記遅延タイマーが期限切れになる；及び
前記第１のフロー制御信号を取り消す第２のフロー制御信号が前記第２の局から前
記第１の局で受信される
の一つまで
前記第１の局から前記第２の局までの次の通信ユニットの送信を遅らせる段階
を具備することを特徴とする方法。